Podtech/llm-jp-corpus-v4-ja_patent huggingface dataset:
【手続補正書】
【提出日】平成24年12月10日(2012.12.10)
【手続補正１】
【補正対象書類名】特許請求の範囲
【補正対象項目名】全文
【補正方法】変更
【補正の内容】
【特許請求の範囲】
【請求項１】
基材表面に塗膜を形成する塗膜形成方法であって、
前記基材の上面に塗膜を形成するための塗液を配置する塗膜配置工程と、
前記基材を所定の軸回りに回転させる基材回転工程と、
前記基材の上部から前記基材の上面周縁部にエアを吹き付けると同時に前記基材の下面にエアを吹き付けるエア吹き付け工程とを備え、
前記エア吹き付け工程では、前記基材の中心部から当該基材の外側に向う方向に沿って、エアを吹き付けること、
を特徴とする塗膜形成方法。
【請求項２】
基材表面に塗膜を形成するためのスピンコータであって、
塗膜が形成される基材を保持し、且つ該基材を所定の軸回りに回転させるステージと、
前記基材の上部から前記基材の上面周縁部にエアを吹き付ける上エア吹き付け部とを備え、
該上エア吹き付け部は、前記基材の中心部から当該基材の外側に向う方向に沿って、エアを吹き付けること、
を特徴とするスピンコータ。
【請求項３】
基材の中心部から基材の外側に向う方向に沿って、前記基材の下面にエアを吹き付ける下エア吹き付け部をさらに備える請求項２に記載のスピンコータ。
【請求項４】
前記上エア吹き付け部は、円板形状を有し、その外周全周に沿って形成された吹出口を備える請求項２に記載のスピンコータ。
【請求項５】
前記下エア吹き付け部は、前記ステージとの間に所定の間隔をもって前記ステージを囲む筒状体を備え、この筒状体と前記ステージの間に形成された流路を介して前記エアを前記基材の下面に吹き付ける請求項３に記載のスピンコータ。
【請求項６】
前記上エア吹き付け部及び／又は下エア吹き付け部は、先端が前記基材の上面及び／又は下面に向けて配置されたチューブ状部材によって構成されている請求項２に記載のスピンコータ。
【手続補正書】
【提出日】平成25年8月16日(2013.8.16)
【手続補正１】
【補正対象書類名】特許請求の範囲
【補正対象項目名】全文
【補正方法】変更
【補正の内容】
【特許請求の範囲】
【請求項１】
少なくとも１種の多孔質担体と、少なくとも１種の金属相とを含み、該金属相は、ニッケルと、少なくとも１種の第IB族金属Ｍとを、モル比Ｍ／Ｎｉが０．００５〜０．５の範囲であるような割合で含む、触媒の調製方法であって、少なくとも以下の連続する工程を含む方法：
ａ１）  ニッケルを少なくとも前記担体上に沈着させて、担持型ニッケルベースの単金属触媒を得る工程；および
ｂ１）  少なくとも１種の還元ガスの存在下かつあらゆる水性溶媒の非存在下に、少なくとも前記金属Ｍの少なくとも１種の有機金属化合物を、前記単金属触媒上に沈着させる工程。
【請求項２】
前記触媒のＭ／Ｎｉモル比は、０．０１〜０．５の範囲である、請求項１に記載の調製方法。
【請求項３】
前記触媒中に存在する前記多孔質担体は、アルミナまたはシリカである、請求項１または２に記載の調製方法。
【請求項４】
前記第IB族金属Ｍは金である、請求項１〜３のいずれか１つに記載の調製方法。
【請求項５】
前記工程ｂ１）は気相内で実施される、請求項１〜４のいずれか１つに記載の調製方法。
【請求項６】
前記工程ｂ１）は、有機溶媒中の液相内で実施される、請求項１〜４のいずれか１つに記載の調製方法。
【請求項７】
前記金属Ｍが金である場合、前記有機金属化合物はシアン化金である、請求項１〜６のいずれか１つに記載の調製方法。
【請求項８】
前記工程ａ１）の後、前記工程ｂ１）を実施する前に、前記工程ａ２）が実施され、前記工程ａ２）は、少なくとも１種の還元ガスの存在下で前記単金属触媒の還元を実施することからなる、請求項１〜７のいずれか１つに記載の調製方法。
【請求項９】
前記工程ｂ１）の後、少なくとも１回の工程ｃ１）を実施し、該工程ｃ１）の間、前記工程ｂ１）の終わりに得られた前記担持触媒に、少なくとも１回の乾燥段階を施す、請求項１〜８のいずれか１つに記載の調製方法。
【請求項１０】
前記工程ｂ１）の後、少なくとも１回の工程ｃ２）を実施し、該工程ｃ２）の間、前記工程ｂ１）の終わりに得られた前記担持触媒に、少なくとも１回の洗浄段階を施す、請求項１〜９のいずれか１つに記載の調製方法。
【請求項１１】
前記工程ｂ１）の後、少なくとも１種の還元ガスの存在下、前記工程ｂ１）の終わりに得られた触媒を活性化することからなる工程ｄ１）を実施する、請求項１〜１０のいずれか１つに記載の調製方法。
【請求項１２】
多価不飽和炭化水素の供給原料の選択的水素化のための方法であって、前記供給原料を、請求項１〜１１のいずれか１つに記載の調製方法によって調製された少なくとも１種の金属相を含む少なくとも１種の担持触媒を備えた少なくとも１つの反応装置へと通過させることを含む、方法。
【請求項１３】
前記多価不飽和炭化水素の供給原料は、少なくとも４個の炭素原子を含みかつ２２０℃以下の終点を有する多価不飽和炭化水素を含む水蒸気分解ガソリンである、請求項１２に記載の選択的水素化方法。
【請求項１４】
前記多価不飽和炭化水素の供給原料は、ジオレフィン化合物、スチレン化合物、およびインデン化合物である、請求項１3に記載の選択的水素化方法。
【請求項１５】
２０〜２００℃の範囲の温度で、０．４〜５ＭＰａの範囲の圧力で、０．２〜３０ｈ−１の範囲の毎時空間速度（触媒の容積に対する供給原料の容積流量の割合として定義される）で実施される、請求項１２〜１４のいずれか１つに記載の選択的水素化方法。
【手続補正２】
【補正対象書類名】明細書
【補正対象項目名】００２３
【補正方法】変更
【補正の内容】
【００２３】
少なくとも１つのＣ−Ａｕ結合を含む金のあらゆる有機金属化合物が、前記工程ｂ１）を実施するのに適している。有利には、シアン化金[AuCN]、ジメチル金アセチルアセトナート[Au(CH3)2(acac)]、ジメチル金ヨージド・ダイマー[((CH3)2AuI)2]、ジメチル金カルボキシラート[(CH3)2Au(COOR)、式中Ｒ＝ＣＨ３又はtert−ブチル]、トリフェニルホスフィン金クロリド[Ph3PAuCl]、ジメチル金オキシナート[(CH3)2AuL)、式中Ｌ＝８−キノールエノール]が用いられる。金の有機金属化合物は、好ましくは、シアン化金[AuCN]、ジメチル金アセチルアセトナート[Au(CH3)2(acac)]、ジメチル金ヨージド・ダイマー[((CH3)2AuI)2]から選択され、より好ましくは、シアン化金[AuCN]である。
【手続補正３】
【補正対象書類名】明細書
【補正対象項目名】００３３
【補正方法】変更
【補正の内容】
【００３３】
前記工程ｂ１）の実施後、あるいは前記工程ｃ１）および／または前記工程ｃ２）の実施後、あるいは前記工程ｄ１）の実施後に得られた触媒は、炭化水素供給原料（feed）の転化を実施する反応装置内で、特に、多価不飽和炭化水素供給原料の選択的水素化を実施する反応装置内で、直接用いられる。本発明の方法を用いて調製された前記触媒は、空気中で保存されて、使用前に還元されてもよい。還元は一般に、還元ガスの流れ中（好ましくは水素中）、徐々に、例えば０．１〜５℃／分の範囲で、１００〜６００℃の範囲、好ましくは２００〜５００℃の範囲の最大還元温度まで昇温させ、その後、１〜４０時間の範囲、好ましくは５〜３０時間の範囲の期間にわたって当該温度を維持することからなる。
【手続補正書】
【提出日】平成25年8月16日(2013.8.16)
【手続補正１】
【補正対象書類名】特許請求の範囲
【補正対象項目名】全文
【補正方法】変更
【補正の内容】
【特許請求の範囲】
【請求項１】
少なくとも１種の多孔質担体と、少なくとも１種の金属相とを含み、該金属相は、ニッケルとスズとを、Ｓｎ／Ｎｉモル比が０．０１〜０．２の範囲であるような割合で含む、触媒の調製方法であって、少なくとも以下の連続する工程を含む方法：
ａ）  ニッケルを少なくとも前記担体上に沈着させて、担持型ニッケルベースの単金属触媒を得る工程；
ｂ）  前記単金属触媒を少なくとも１種の還元ガスの存在下に還元する工程；
ｃ）  気相内でかつ少なくとも１種の還元ガスの存在下、少なくとも１種の有機金属スズ化合物を、前記還元単金属触媒上に沈着させる工程；および
ｄ）  前記工程ｃ）で得られた固体物を少なくとも１種の還元ガスの存在下に活性化させ、ニッケルとスズとをベースとし、スズが前記触媒の質量の０．０２〜１５重量％を示し、ニッケルが前記触媒の質量の１〜５０重量％を示す、金属相を有する担持触媒を得る工程。
【請求項２】
前記触媒のＳｎ／Ｎｉモル比は、０．０２５〜０．０５５の範囲である、請求項１に記載の調製方法。
【請求項３】
前記触媒のＳｎ／Ｎｉモル比は、０．０３〜０．０５の範囲である、請求項２に記載の調製方法。
【請求項４】
前記触媒中に存在する前記多孔質担体は、アルミナまたはシリカである、請求項１〜３のいずれか１つに記載の調製方法。
【請求項５】
前記工程ｂ）は、１００〜６００℃の範囲の温度で、１〜４０時間の範囲の期間にわたって実施される、請求項１〜４のいずれか１つに記載の調製方法。
【請求項６】
前記工程ｃ）は溶媒の非存在下で実施される、請求項１〜５のいずれか１つに記載の調製方法。
【請求項７】
前記工程ｃ）で用いられた前記有機金属化合物は、Ｓｎ（Ｒ）ｎＨ４−ｎの化学式を有し、式中、Ｒは、１〜１２個の炭素原子を含むアルキル基またはアリール基であり、ｎは、１〜４の範囲の整数であり、基Ｒは同種または異種であってよい、請求項１〜６のいずれか１つに記載の調製方法。
【請求項８】
前記有機金属スズ化合物はテトラブチルスズである、請求項7に記載の調製方法。
【請求項９】
前記工程ｃ）を実施するために用いられる還元ガスは水素である、請求項１〜８のいずれか１つに記載の調製方法。
【請求項１０】
前記工程ｄ）は、１００〜５５０℃の範囲の温度で、１〜４０時間の範囲の期間にわたって実施される、請求項１〜９のいずれか１つに記載の調製方法。
【請求項１１】
多価不飽和炭化水素の供給原料の選択的水素化のための方法であって、前記供給原料を、請求項１〜１０のいずれか１つに記載の調製方法によって調製された、少なくとも１種の金属相を含む少なくとも１種の担持触媒を備えた少なくとも１つの反応装置へと通過させる工程を含む、方法。
【請求項１２】
前記多価不飽和炭化水素の供給原料は、少なくとも４個の炭素原子を含みかつ２２０℃以下の終点を有する多価不飽和炭化水素を含む水蒸気分解ガソリンである、請求項１１に記載の選択的水素化方法。
【請求項１３】
前記多価不飽和炭化水素は、ジオレフィン化合物、スチレン化合物、およびインデン化合物である、請求項１２に記載の選択的水素化方法。
【請求項１４】
２０〜２００℃の範囲の温度、０．４〜５ＭＰａの範囲の圧力および、０．２〜３０ｈ―１の範囲の毎時空間速度（触媒の容積に対する供給原料の容積流量の割合として定義される）で実施される、請求項１１〜１３のいずれか１つに記載の選択的水素化方法。
【手続補正２】
【補正対象書類名】明細書
【補正対象項目名】００３９
【補正方法】変更
【補正の内容】
【００３９】
（実施例３（比較例）：シリカ上に担持され、ニッケルを含む、単金属触媒Ｄの調製）
Ｎｉ／シリカ型触媒（触媒Ｄ）は、シリカ上の[Ni(NH3)6)]2+塩の陽イオン交換によって調製された。含浸溶液は、濃度７×１０−３ｍｏｌ／Ｌの硝酸ニッケル（Aldrich）溶液を濃度０．４ｍｏｌ／Ｌのアンモニア溶液（Aldrich）と混合することによって調製された。４ｇの量のシリカ（Aerosil（登録商標）-200, Degussa）は、周囲温度で撹拌しながら、５０ｍＬの含浸溶液と２４時間にわたって接触させられた。その後、固体物は、ろ過により回収され、交換水で洗浄され、８０℃、次いで１００℃で真空オーブン中で乾燥させられ、そして最後に５００℃の水素流れ中で処理された後、冷却され空気中に保存された。
【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
外周面に図柄が配列されている複数のリールが停止した状態で、役毎に予め定められた入賞形態を示す図柄組合せが有効ラインに表示されたことに基づいて役が入賞する遊技機であって、
小役とリプレイとを含む複数種類の役の当否を決定する内部抽選を行う内部抽選手段と、
前記複数のリールを遊技毎に回転させるとともに、停止操作を契機として前記内部抽選の結果に応じた態様で停止操作に対応する回転中のリールを停止させる制御を行うリール制御手段と、
小役の入賞に伴い遊技媒体の払い出しに関する制御を行う払出制御手段と、
リプレイの入賞に伴い遊技者の所有する遊技媒体を要さずに次回の遊技を行わせるリプレイ処理を行うリプレイ処理手段と、
特殊図柄組合せが有効ラインに表示されたことに基づいてリプレイの当選確率を変動させるリプレイ確率変動手段とを備え、
前記内部抽選手段が、
第１の小役と複数種類の第２の小役とが重複して当選する場合が存在するように内部抽選を行い、
前記第１の小役の入賞に伴う遊技媒体の払出数が前記第２の小役の入賞に伴う遊技媒体の払出数よりも多くなるように設定され、
前記複数のリールの外周面には、前記第１の小役および前記複数種類の第２の小役が互いに重複して入賞することがないように図柄が配列されており、
前記リール制御手段が、
前記第１の小役と前記複数種類の第２の小役とが重複して当選した遊技において、小役の入賞に伴う遊技媒体の払出数が多くなるように回転中のリールを停止させることによって前記第１の小役を前記複数種類の第２の小役に優先して入賞させることができる第１停止制御と、有効ライン上に表示可能な図柄組合せの数が多くなるように回転中のリールを停止させることによって前記複数種類の第２の小役のいずれかを前記第１の小役に優先して入賞させることができる第２停止制御とを停止操作の順序に応じて切り替えるとともに、前記第１の小役および前記複数種類の第２の小役がいずれも入賞しない場合に前記特殊図柄組合せが有効ラインに表示されるように前記複数のリールを停止させることを特徴とする遊技機。
【請求項２】
請求項１において、
前記複数のリールのそれぞれの外周面には、複数種類の特定図柄が停止操作のタイミングに関わらずにいずれかの特定図柄を択一的に有効ライン上に表示させることができるように配列され、
前記複数種類の第２の小役のそれぞれにおける入賞形態を示す図柄組合せが、１種類または２種類以上の特定図柄によって構成され、
前記複数種類の特定図柄のそれぞれが、前記複数のリールのそれぞれにおいて、少なくとも２種類の第２の小役の入賞形態を示す図柄組合せを構成することを特徴とする遊技機。
【請求項３】
請求項２において、
前記複数のリールのそれぞれの外周面には、前記第１の小役の入賞形態を示す図柄組合せを構成する図柄が停止操作のタイミングに関わらずに当該図柄を有効ライン上に表示させることができるように配列され、
前記複数種類の特定図柄と、前記第１の小役の入賞形態を示す図柄組合せを構成する図柄とが、前記複数種類の特定図柄のいずれかが有効ライン上に表示される場合に、前記第１の小役の入賞形態を示す図柄組合せを構成する図柄が有効ライン上に表示されることがない配列関係を有することを特徴とする遊技機。
【手続補正書】
【提出日】平成24年12月6日(2012.12.6)
【手続補正１】
【補正対象書類名】特許請求の範囲
【補正対象項目名】全文
【補正方法】変更
【補正の内容】
【特許請求の範囲】
【請求項１】
放射線を照射する放射線源と、
放射線を検出する検出面を有する放射線検出手段と、
前記放射線検出手段が出力する検出データを基に画像を生成する画像生成手段と、
前記放射線源から照射される放射線ビームの広がりを制限するコリメータと、
前記コリメータの開度を取得する開度取得手段と、
前記放射線検出手段における放射線ビームの照射される領域である放射線照射範囲を表示する表示手段とを備え、
前記表示手段は、予め、複数の前記開度において放射線照射を行って取得された画像に写り込んだ放射線ビームの幅と当該開度との関係、及び現在の前記開度に基づいて、前記画像上に表示する放射線照射範囲を決定することを特徴とする放射線撮影装置。
【請求項２】
請求項１に記載の放射線撮影装置において、
前記放射線ビームの幅と開度との関係は、放射線照射を行って取得された画像に写り込んだ放射線ビームの幅と前記開度との関係を表す関連テーブルであることを特徴とする放射線撮影装置。
【請求項３】
請求項２に記載の放射線撮影装置において、
前記関連テーブルを補間することにより、前記関連テーブルが有する要素の数をより増加させた新たな関連テーブルを生成する関連テーブル補間手段を更に備えることを特徴とする放射線撮影装置。
【請求項４】
請求項１に記載の放射線撮影装置において、
前記放射線ビームの幅と開度との関係は、放射線照射を行って取得された画像に写り込んだ放射線ビームの幅と前記開度とが関係づけられた関係式であることを特徴とする放射線撮影装置。
【請求項５】
請求項１に記載の放射線撮影装置において、
前記放射線源を前記放射線検出手段に対して傾斜させる放射線源傾斜手段と、
前記放射線源傾斜手段を制御する放射線源傾斜制御手段とを更に備え、
前記放射線ビームの幅と開度との関係は、前記放射線源を前記放射線検出手段に対して傾斜させながら複数回に亘って撮影を実行することで取得されたものであることを特徴とする放射線撮影装置。
【請求項６】
請求項１に記載の放射線撮影装置において、
前記放射線源と前記放射線検出手段とに挾まれる位置に被検体を載置させる天板と、
前記天板を前記放射線源と前記放射線検出手段との位置関係を保った状態で傾斜させる天板傾斜手段と、
前記天板傾斜手段を制御する天板傾斜制御手段とを更に備え、
前記放射線ビームの幅と開度との関係は、前記天板を傾斜させながら複数回に亘って撮影を実行することで取得されたものであることを特徴とする放射線撮影装置。
【手続補正２】
【補正対象書類名】明細書
【補正対象項目名】００２５
【補正方法】変更
【補正の内容】
【００２５】
［作用・効果］上述のように構成すれば、表示手段に表示される放射線照射範囲は、更に正確なものとなる。放射線源は重荷物であるので、天板の傾斜に伴い放射線源が垂れ下がる。すると、天板の傾斜に伴って放射線検出手段の検出面における放射線ビームの位置が変化する。補正手段が補正を実行する際に、天板の傾斜が撮影条件と一致した状態で生成された補正データを用いるようにすれば、天板の傾斜の影響が加味されて放射線照射範囲が表示手段に表示されるので、術者は天板の傾斜によらず表示手段を通じて正確な放射線照射位置を確認することができる。また、この様にすると被検者の被曝量を減らすことができる。
また、本明細書は、以下のような構成の発明も開示している。
すなわち、本発明に係る放射線撮影装置は、放射線を照射する放射線源と、放射線を検出する検出面を有する放射線検出手段と、放射線検出手段が出力する検出データを基に画像を生成する画像生成手段と、放射線源から照射される放射線ビームの広がりを制限するコリメータと、コリメータの開度を取得する開度取得手段と、前記放射線検出手段における放射線ビームの照射される領域である放射線照射範囲を表示する表示手段とを備え、表示手段は、予め、複数の開度において放射線照射を行って取得された画像に写り込んだ放射線ビームの幅と当該開度との関係、及び現在の開度に基づいて、画像上に表示する放射線照射範囲を決定することを特徴とするものである。
また、上述の放射線撮影装置において、放射線ビームの幅と開度との関係は、放射線照射を行って取得された画像に写り込んだ放射線ビームの幅と開度との関係を表す関連テーブルであればより望ましい。
また、上述の放射線撮影装置において、関連テーブルを補間することにより、関連テーブルが有する要素の数をより増加させた新たな関連テーブルを生成する関連テーブル補間手段を更に備えればより望ましい。
また、上述の放射線撮影装置において、放射線ビームの幅と開度との関係は、放射線照射を行って取得された画像に写り込んだ放射線ビームの幅と開度とが関係づけられた関係式であればより望ましい。
また、上述の放射線撮影装置において、放射線源を放射線検出手段に対して傾斜させる放射線源傾斜手段と、放射線源傾斜手段を制御する放射線源傾斜制御手段とを更に備え、放射線ビームの幅と開度との関係は、放射線源を放射線検出手段に対して傾斜させながら複数回に亘って撮影を実行することで取得されたものであればより望ましい。
また、上述の放射線撮影装置において、放射線源と放射線検出手段とに挾まれる位置に被検体を載置させる天板と、天板を放射線源と放射線検出手段との位置関係を保った状態で傾斜させる天板傾斜手段と、天板傾斜手段を制御する天板傾斜制御手段とを更に備え、放射線ビームの幅と開度との関係は、天板を傾斜させながら複数回に亘って撮影を実行することで取得されたものであればより望ましい。
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
光音響効果を利用して被検体内部の情報を取得する被検体情報取得装置であって、
パルス光を発生する複数のレーザ光源と、
前記レーザ光源に対して励起の開始を指示する励起開始信号を出力するとともに、前記励起開始信号から所定の時間の経過後に前記レーザ光源に対して発振の開始を指示する発振開始信号を出力することで、前記レーザ光源からパルス光を発生させる制御手段と、
前記パルス光の照射により被検体内部で発生した音響波を受信する音響波受信手段と、
前記音響波受信手段から出力される信号を用いて被検体内部の情報を生成する信号処理手段と、を備え、
前記複数のレーザ光源は、第１のレーザ光源と、励起の開始からパルス光の発生までにかかる準備時間が前記第１のレーザ光源よりも長い第２のレーザ光源とを含んでおり、
前記制御手段は、前記第１のレーザ光源と前記第２のレーザ光源の間の準備時間の差に応じて、前記第１のレーザ光源に対して励起開始信号を出力するタイミングを前記第２のレーザ光源に対して励起開始信号を出力するタイミングよりも遅らせる
ことを特徴とする被検体情報取得装置。
【請求項２】
前記第１のレーザ光源と前記第２のレーザ光源の間での励起開始信号を出力するタイミングの差は、前記第１のレーザ光源と前記第２のレーザ光源の間のパルス光の発生タイミングの差が予め決められた許容範囲内になるように設定されている
ことを特徴とする請求項１に記載の被検体情報取得装置。
【請求項３】
前記第１のレーザ光源と前記第２のレーザ光源の間のパルス光の発生タイミングの差を検出する検出手段をさらに備え、
前記制御手段は、前記検出手段で検出されたパルス光の発生タイミングの差が前記許容範囲内になるように、前記第１のレーザ光源と前記第２のレーザ光源の間での励起開始信号を出力するタイミングの差を調整する
ことを特徴とする請求項２に記載の被検体情報取得装置。
【請求項４】
前記信号処理手段は、前記検出手段で検出されたパルス光の発生タイミングの差が前記許容範囲を外れたときに前記音響波受信手段から出力された信号を、被検体内部の情報の生成に利用しない
ことを特徴とする請求項３に記載の被検体情報取得装置。
【請求項５】
前記制御手段が励起開始信号を出力するタイミングの差を調整する間、前記レーザ光源から前記被検体へ照射されるパルス光を遮断する光遮断手段をさらに備える
ことを特徴とする請求項３または４に記載の被検体情報取得装置。
【請求項６】
前記音響波受信手段は移動しながら測定を行うものであり、
前記制御手段は、前記音響波受信手段が測定位置に到達するタイミングとパルス光の発生タイミングとが同期するように、前記レーザ光源に励起開始信号を出力するタイミングを決定する
ことを特徴とする請求項１〜５のうちいずれか１項に記載の被検体情報取得装置。
【請求項７】
各レーザ光源から発生したパルス光の光量を計測する光量計測手段をさらに備え、
前記制御手段は、前記光量計測手段で計測された光量を予め決められた目標値に近づけるように、励起開始信号を出力するタイミングと発振開始信号を出力するタイミングの間の時間の長さを変更する
ことを特徴とする請求項１〜６のうちいずれか１項に記載の被検体情報取得装置。
【請求項８】
前記制御手段は、前記音響波受信手段から出力された信号の強度を予め決められた許容値よりも小さくするように、励起開始信号を出力するタイミングと発振開始信号を出力するタイミングの間の時間の長さを変更する
ことを特徴とする請求項１〜６のうちいずれか１項に記載の被検体情報取得装置。
【手続補正２】
【補正対象書類名】明細書
【補正対象項目名】発明の名称
【補正方法】変更
【補正の内容】
【発明の名称】被検体情報取得装置
【手続補正３】
【補正対象書類名】明細書
【補正対象項目名】０００８
【補正方法】変更
【補正の内容】
【０００８】
そこで本発明は、複数の光源を有する被検体情報取得装置において、光源間の発光タイミングのずれを低減し、診断画像中のアーチファクトを低減するための技術を提供することを目的とする。
【手続補正４】
【補正対象書類名】明細書
【補正対象項目名】０００９
【補正方法】変更
【補正の内容】
【０００９】
本発明は、光音響効果を利用して被検体内部の情報を取得する被検体情報取得装置であって、パルス光を発生する複数のレーザ光源と、前記レーザ光源に対して励起の開始を指
示する励起開始信号を出力するとともに、前記励起開始信号から所定の時間の経過後に前記レーザ光源に対して発振の開始を指示する発振開始信号を出力することで、前記レーザ光源からパルス光を発生させる制御手段と、前記レーザ光源から発生したパルス光の照射により被検体内部で発生した音響波を受信する音響波受信手段と、前記音響波受信手段から出力される信号を用いて被検体内部の情報を生成する信号処理手段と、を備え、前記複数のレーザ光源は、第１のレーザ光源と、励起の開始からパルス光の発生までにかかる準備時間が前記第１のレーザ光源よりも長い第２のレーザ光源とを含んでおり、前記制御手段は、前記第１のレーザ光源と前記第２のレーザ光源の間の準備時間の差に応じて、前記第１のレーザ光源に対して励起開始信号を出力するタイミングを前記第２のレーザ光源に対して励起開始信号を出力するタイミングよりも遅延させる被検体情報取得装置を提供する。
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
本体部（１）と、かみそりヘッド（２）と、これら両者（１・２）の間に設けられてかみそりヘッド（２）を傾動可能に支持するヘッド支持構造と、本体部（１）に対して傾動したかみそりヘッド（２）を中立位置へ復帰させる中立復帰構造とを備えている電気かみそりであって、
かみそりヘッド（２）は、その上下方向の中途部がヘッド支持構造で支持されており、
かみそりヘッド（２）の下部と本体部（１）との間に中立復帰構造が設けられており、
中立復帰構造が、摺動面（５４）を備えた復帰座体（５３）と、摺動面（５４）に接当した状態で復帰座体（５３）と相対スライドするスライドピース（５５）を含んで構成してある電気かみそり。
【請求項２】
復帰座体（５３）の摺動面（５４）は、中立位置へ向かって傾斜する傾斜面で形成されており、
スライドピース（５５）に作用する接当反力の水平方向の分力で、本体部（１）に対して傾動したかみそりヘッド（２）を中立位置へ復帰させる請求項１に記載の電気かみそり。
【請求項３】
復帰座体（５３）の摺動面（５４）が湾曲面で形成されており、
摺動面（５４）の湾曲中央に中立位置が設けてある請求項２に記載の電気かみそり。
【請求項４】
中立復帰構造が、摺動面（５４）を備えた復帰座体（５３）と、摺動面（５４）に接当した状態で復帰座体（５３）と相対スライドするスライドピース（５５）と、復帰座体（５３）とスライドピース（５５）との少なくともいずれか一方を他方へ向かって押圧付勢する復帰ばね（５６）とを含んで構成されており、
かみそりヘッド（２）の傾動角度が増加するのに従って、接当反力が大きくなるように摺動面（５４）が傾斜させてある請求項２または３に記載の電気かみそり。
【請求項５】
かみそりヘッド（２）の傾動中心から摺動面（５４）の湾曲中央までの距離を半径とする仮想湾曲面を想定するとき、
摺動面（５４）の曲率が、前記仮想湾曲面の曲率より大きく設定してある請求項３または４に記載の電気かみそり。
【請求項６】
摺動面（５４）の曲率が、摺動面（５４）の中央から摺動面（５４）の周縁部へと離れるのに従って大きく設定してある請求項４または５に記載の電気かみそり。
【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
靴に入れた足の第１基節骨の骨底から第５基節骨の骨底まで各基節骨の骨底を結ぶ線と、第１基節骨の中間から第５基節骨の中間まで各基節骨の中間を結ぶ線とに挟まれた領域に対応する領域に前端縁を位置するように用いるための緩衝材を有する靴の中敷。
【請求項２】
前記前端縁近傍はテーパー状であり、緩衝材の厚さが薄くなり始めるテーパー開始領域は、少なくとも靴に入れた足の第１中足骨頭から第５中足骨頭まで、各中足骨頭をわたる領域よりもつま先側に対応する領域である請求項１に記載の靴の中敷。
【請求項３】
請求項１又は２のいずれか一に記載の中敷の上層として、靴に入れた足に接する部分が、天然皮革、人工皮革、合成皮革或いは布材、不織布からなる層である表面層を有する靴の中敷構造体。
【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
静磁場を発生する静磁場発生部と、
前記静磁場の静磁場不均一分布を補正するための補正磁場を発生するシムコイルと、
被検体の撮像領域を含む補正対象領域の静磁場不均一分布を取得する静磁場不均一分布取得部と、
前記補正対象領域の静磁場不均一分布を補正するために前記シムコイルに補正磁場を発生させるためのシム補正値を求めるシム補正値算出部と、
前記シム補正値を用いて前記補正対象領域の静磁場不均一分布の補正を制御して、前記被検体からのエコー信号の計測を制御する計測制御部と、
を備えた磁気共鳴イメージング装置であって、
前記補正対象領域を複数の分割領域に分割する領域分割部を備え、
前記シム補正値算出部は、前記分割領域毎に前記シム補正値を算出し、
前記計測制御部は、前記分割領域毎のシム補正値を用いて、前記補正対象領域の静磁場不均一分布の補正を制御することを特徴とする磁気共鳴イメージング装置。
【請求項２】
請求項１記載の磁気共鳴イメージング装置において、
前記計測制御部は、前記分割領域毎に前記シム補正値を切り替えて前記エコー信号の計測を制御することを特徴とする磁気共鳴イメージング装置。
【請求項３】
請求項１又は２記載の磁気共鳴イメージング装置において、
前記領域分割部は、前記補正対象領域の領域分割を略等間隔で行なうことを特徴とする磁気共鳴イメージング装置。
【請求項４】
請求項１又は２記載の磁気共鳴イメージング装置において、
前記領域分割部は、前記補正対象領域の領域分割を不等間隔で行なうことを特徴とする磁気共鳴イメージング装置。
【請求項５】
請求項１乃至４の何れか一項に記載の磁気共鳴イメージング装置において、
前記静磁場不均一分布取得部と前記計測制御部は、前記補正対象領域として３次元の局所領域とすることを特徴とする磁気共鳴イメージング装置。
【請求項６】
請求項１乃至５の何れか一項に記載の磁気共鳴イメージング装置において、
前記領域分割部は、前記補正対象領域をスライス方向に領域分割することを特徴とする磁気共鳴イメージング装置。
【請求項７】
静磁場発生部が発生する静磁場の内で補正対象領域の静磁場不均一分布を補正するための補正磁場を発生するシムコイルを備えた磁気共鳴イメージング装置における該静磁場不均一分布を補正するシミング方法であって、
前記補正対象領域を複数の分割領域に分割するステップと、
前記分割領域毎に、前記シムコイルに補正磁場を発生させるためのシム補正値を算出するステップと、
前記分割領域毎のシム補正値を用いて、前記補正対象領域の静磁場不均一分布の補正するステップと、
を有して成ることを特徴とするシミング方法。
【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
外周面に図柄が配列されている複数のリールと、
役の当否を決定する内部抽選を行う内部抽選手段と、
前記複数のリールを遊技毎に回転させ、停止操作を契機として、前記内部抽選の結果に応じて回転中のリールを停止させる制御を行うリール制御手段と、
前記複数のリールが停止した状態で、役毎に予め定められた入賞形態を示す図柄組合せが有効ラインに表示されたことに基づいて役が入賞したと判定する入賞判定手段と、
通常演出状態、第１演出状態および第２演出状態を含む複数の演出状態の間で演出状態を移行させ、前記第１演出状態あるいは前記第２演出状態では、前記内部抽選で特定役が当選した場合に特定役の入賞を補助する補助演出を演出装置に実行させる演出制御手段とを備え、
前記演出制御手段は、
前記第１演出状態において前記内部抽選の結果が特定の結果となった場合に、前記第２演出状態で行われる遊技の回数に相当する設定回数を増加させる処理を行い、
前記第１演出状態において前記第１演出状態の終了条件が満たされた場合に、前記演出状態を前記第１演出状態から前記第２演出状態に移行させる処理を行い、
前記第２演出状態において前記内部抽選の結果が前記特定の結果となった場合に、前記演出状態を前記第２演出状態から前記第１演出状態に移行させる処理を行うことを特徴とする遊技機。
【請求項２】
請求項１において、
前記演出制御手段は、
前記第２演出状態において行われた遊技の回数が前記設定回数に達した場合に、前記第２演出状態を終了させる処理を行うことを特徴とする遊技機。
【請求項３】
請求項１または２において、
前記演出制御手段は、
前記第１演出状態において行われた遊技の回数が予め定められた特定回数に達した場合に、前記演出状態を前記第１演出状態から前記第２演出状態に移行させる処理を行うことを特徴とする遊技機。
【請求項４】
請求項３において、
前記演出制御手段は、
前記設定回数の初期値として前記特定回数よりも少ない回数を設定することを特徴とする遊技機。
【請求項５】
請求項１〜４のいずれかにおいて、
前記演出制御手段は、
前記第２演出状態において前記内部抽選の結果が前記特定の結果となった場合に、前記第２演出状態において行われた遊技の回数が前記設定回数に達していなくても、前記演出状態を前記第２演出状態から前記第１演出状態に移行させる処理を行うことを特徴とする遊技機。
【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
被検者眼の瞳孔情報を取得するための瞳孔情報取得手段と、
遠用ゾーンと近用ゾーンを持つ多焦点眼内レンズに関し、多焦点眼内レンズの各ゾーンのサイズ情報が記憶されている記憶手段より前記サイズ情報を取得するサイズ情報取得手段と、
前記サイズ情報と、前記瞳孔情報と、を整合させ、前記サイズ情報と前記瞳孔情報とを比較可能に出力する出力手段と、
を備えることを特徴とする眼科装置。
【請求項２】
請求項１の眼科装置において、
前記出力手段は、前記記憶手段に記憶されている各ゾーンの前記サイズ情報に基づいて、遠用ゾーンと近用ゾーンを示すグラフィックを形成させ、被検者眼の前記瞳孔情報と整合させ、出力することを特徴とする眼科装置。
【請求項３】
請求項２の眼科装置において、
前記瞳孔情報取得手段は、前記瞳孔情報として、赤外光源より被検者眼に赤外光を照射し、被検者眼の瞳孔を含む前眼部像を撮像する撮像光学系によって取得された前記前眼部像から瞳孔の境界を画像処理によって検出し、その検出結果に基づいて被検者眼の瞳孔径を求め、
前記出力手段は、前記記憶手段より取得した前記サイズ情報と、前記取得手段によって求められた前記瞳孔径と、整合させ、出力することを特徴とする眼科装置。
【請求項４】
請求項３の眼科装置において、
前記出力手段は、前記瞳孔情報として、前記取得手段によって求められた前記瞳孔径に基づくグラフィックを第１グラフィックとして形成し、遠用ゾーン及び近用ゾーンを示すグラフィックを第２グラフィックとし、前記第１グラフィックの中心と前記第２グラフィックの中心とを一致させた状態で前記第１グラフィック及び前記第２グラフィックを出力することを特徴とする眼科装置。
【請求項５】
請求項３の眼科装置において、
前記瞳孔情報取得手段は、赤外照明による暗視野状態における被検者眼の前記瞳孔径の演算の他に、可視光源より被検者眼に可視光を照射し、被検者眼の瞳孔を含む明視野状態の前眼部像を撮像する前記撮像光学系によって取得された前記明視野状態の前眼部像から明視野状態における被検者眼の瞳孔径を求めることを特徴とする眼科装置。
【手続補正２】
【補正対象書類名】明細書
【補正対象項目名】０００６
【補正方法】変更
【補正の内容】
【０００６】
上記課題を解決するために、本発明は以下のような構成を備えることを特徴とする。
被検者眼の瞳孔情報を取得するための瞳孔情報取得手段と、遠用ゾーンと近用ゾーンを持つ多焦点眼内レンズに関し、多焦点眼内レンズの各ゾーンのサイズ情報が記憶されている記憶手段より前記サイズ情報を取得するサイズ情報取得手段と、前記サイズ情報と、前記瞳孔情報と、を整合させ、前記サイズ情報と前記瞳孔情報とを比較可能に出力する出力手段と、を備えることを特徴とする。
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
座部と、この座部の前部に連結した脚載部と、を具備するマッサージ機において、
前記脚載部は、被施療者の脚を収容できるようにそれぞれ半割円筒状に形成された左右一対の脚受部を備え、
前記各脚受部は、それぞれエアバッグを具備する４組のエア施療部を備え、被施療者の脚を四方から押圧可能としたことを特徴とするマッサージ機。
【請求項２】
前記エア施療部は、
前記各脚受部の開放面側に配置されて被施療者の脚を前方から押圧可能とした左右一対の第１のエア施療部と、前記各脚受部の奥部壁側に配置されて被施療者の脚を後方から押圧可能とした左右一対の第２のエア施療部とからなり、
前記左右一対の第１のエア施療部のうち、一方の第１のエア施療部のエアバッグは膨張状態が維持できるように構成され、他方の第１のエア施療部のエアバッグ及び前記第２のエア施療部のエアバッグは膨張収縮を繰り返すように構成されていることを特徴とする請求項１記載のマッサージ機。
【請求項３】
前記各エア施療部は、それぞれ複数のエアバッグが重合されて構成されていることを特徴とする請求項１又は２項に記載のマッサージ機。
【請求項４】
前記一方の第１のエア施療部における重合状態に配置された複数のエアバッグのうち、少なくとも被施療者の脚に対して最外側に位置するエアバッグは、その膨張状態を維持して、重合する他のエアバッグの前記脚受部内の奥行方向における膨縮開始位置を規定可能としたことを特徴とする請求項２又は３に記載のマッサージ機。
【手続補正書】
【提出日】平成25年4月2日(2013.4.2)
【手続補正１】
【補正対象書類名】特許請求の範囲
【補正対象項目名】全文
【補正方法】変更
【補正の内容】
【特許請求の範囲】
【請求項１】
傘の締付部材に磁性体を設けたことを特徴とする傘の締付具。
【請求項２】
傘の傘張り布面の一端に帯状の紐や細長い布などを設け、この帯状の紐や細長い布の自由端には磁性体を取り付けたことを特徴とする傘の締付具。
【請求項３】
傘の傘張り布の山折り部分に磁性体を取り付けたことを特徴とする傘の締付具。
【手続補正書】
【提出日】平成25年4月11日(2013.4.11)
【手続補正１】
【補正対象書類名】特許請求の範囲
【補正対象項目名】全文
【補正方法】変更
【補正の内容】
【特許請求の範囲】
【請求項１】
フレンチフライドポテトの連続調理方法において、
調理油のバットを準備するステップを含み、該バットは、その長さに延びる製品搬送コンベアを含み、前記コンベアは、該コンベアを通る多数の油流通路を有し、前記バットは該バットの底面を貫通する油入口手段を有し、
前記バット内に大量の調理油を設けるように、前記入口手段からコンベアを通して移動する上向きの流れで油を供給するステップと、
じゃがいもの細切り片の直立したパックをコンベア上に作るように、連続的に大量のじゃがいもの細切り片をコンベア上に載せ、前記調理油の中を移動させ、それにより、調理油からじゃがいもの細切り片に含まれる水を蒸発させる高いエネルギーを生じさせるステップと、
上方へ流れる調理油が、細切り片を、沸騰した水分から発生した蒸気がじゃがいもの細切り片のパックから上方へ逃げる概ね上方に突出した姿勢に促しながら、じゃがいもの細切り片のパックをコンベアで移動させるステップと、
バットから調理済みのフレンチフライドポテトの細切り片を取り出すステップと、を含む方法。
【請求項２】
じゃがいもの細切り片からフレンチフライドポテトを連続的に調理する方法であって、
前記細切り片は深いパックフォーム内で配列され、処理経路に沿って運ばれ、
高温の調理油の連続流れを、前記細切り片のパックを概して上方へ通るように差し向け、
次に、前記調理油の少なくとも一部を、通常の経路から再循環し再加熱するための処理経路へ移動させる、方法。
【請求項３】
前記調理油の流れの力のベクトルは、じゃがいもの細切り片を概して仰向けではない姿勢へ促し、前記細切り片のパックから蒸気が逃げるための通路を提供する、請求項２に記載の方法。
【手続補正書】
【提出日】平成25年10月10日(2013.10.10)
【手続補正１】
【補正対象書類名】特許請求の範囲
【補正対象項目名】請求項１
【補正方法】変更
【補正の内容】
【請求項１】
ボウリングゲームの参加人数それぞれに対応付けて、各参加人数に応じたゲームの進行に関するゲーム進行データが記憶されたゲーム進行データ記憶手段を用いて、
参加者の人数に応じたボウリングゲームを実現するための情報処理システムであって、
前記ゲーム進行データは、ラウンド毎に設定された競技内容に関する競技内容データを含んで構成され、
少なくとも１ラウンドでチーム戦が実現されるように、前記競技内容データには、競技チーム数に関する競技チーム数データ、及びチーム編成に関するチーム編成データが存在し、
登録された参加者の人数に対応する前記ゲーム進行データに基づいて、各ラウンドにおける競技チーム数を設定する競技チーム数設定手段と、
前記チーム編成データに基づいて、各ラウンドにおけるチーム編成を示すチーム編成情報を作成するチーム編成情報作成手段と、を備えていることを特徴とする情報処理システム。
【手続補正２】
【補正対象書類名】特許請求の範囲
【補正対象項目名】請求項８
【補正方法】変更
【補正の内容】
【請求項８】
ボウリングゲームの参加人数それぞれに対応付けて、各参加人数に応じたゲームの進行に関するゲーム進行データが記憶されたゲーム進行データ記憶手段を用いて、
参加者の人数に応じたボウリングゲームを実現するための情報処理方法であって、
前記ゲーム進行データは、ラウンド毎に設定された競技内容に関する競技内容データを含んで構成され、
少なくとも１ラウンドでチーム戦が実現されるように、前記競技内容データには、競技チーム数に関する競技チーム数データ、及びチーム編成に関するチーム編成データが存在し、
登録された参加者の人数に対応する前記ゲーム進行データに基づいて、各ラウンドにおける競技チーム数を設定する工程と、
前記チーム編成データに基づいて、各ラウンドにおけるチーム編成を示すチーム編成情報を作成する工程と、を有していることを特徴とする情報処理方法。
【手続補正３】
【補正対象書類名】特許請求の範囲
【補正対象項目名】請求項１５
【補正方法】変更
【補正の内容】
【請求項１５】
ボウリングゲームの参加人数それぞれに対応付けて、各参加人数に応じたゲームの進行に関するゲーム進行データが記憶されたゲーム進行データベースのデータ構造であって、
前記ゲーム進行データは、ラウンド毎に設定された競技内容に関する競技内容データを含んで構成され、
少なくとも１ラウンドでチーム戦が実現されるように、前記競技内容データには、競技チーム数に関する競技チーム数データ、及びチーム編成に関するチーム編成データが存在することを特徴とするデータ構造。
【手続補正４】
【補正対象書類名】明細書
【補正対象項目名】００３７
【補正方法】変更
【補正の内容】
【００３７】
上記目的を達成するために本発明に係る情報処理システム（１）は、ボウリングゲームの参加人数それぞれに対応付けて、各参加人数に応じたゲームの進行に関するゲーム進行データが記憶されたゲーム進行データ記憶手段を用いて、参加者の人数に応じたボウリングゲームを実現するための情報処理システムであって、前記ゲーム進行データは、ラウンド毎に設定された競技内容に関する競技内容データを含んで構成され、少なくとも１ラウンドでチーム戦（複数人の競技者で構成される２人組などのチーム戦）が実現されるように、前記競技内容データには、競技チーム数に関する競技チーム数データ、及びチーム編成に関するチーム編成データが存在し、登録された参加者の人数に対応する前記ゲーム進行データに基づいて、各ラウンドにおける競技チーム数を設定する競技チーム数設定手段と、前記チーム編成データに基づいて、各ラウンドにおけるチーム編成を示すチーム編成情報を作成するチーム編成情報作成手段と、を備えていることを特徴としている。
【手続補正５】
【補正対象書類名】明細書
【補正対象項目名】００６４
【補正方法】変更
【補正の内容】
【００６４】
また、本発明に係る情報処理方法（１）は、ボウリングゲームの参加人数それぞれに対応付けて、各参加人数に応じたゲームの進行に関するゲーム進行データが記憶されたゲーム進行データ記憶手段を用いて、  参加者の人数に応じたボウリングゲームを実現するための情報処理方法であって、前記ゲーム進行データは、ラウンド毎に設定された競技内容に関する競技内容データを含んで構成され、少なくとも１ラウンドでチーム戦（複数人の競技者で構成される２人組などのチーム戦）が実現されるように、前記競技内容データには、競技チーム数に関する競技チーム数データ、及びチーム編成に関するチーム編成データが存在し、登録された参加者の人数に対応する前記ゲーム進行データに基づいて、各ラウンドにおける競技チーム数を設定する工程と、前記チーム編成データに基づいて、各ラウンドにおけるチーム編成を示すチーム編成情報を作成する工程と、を有していることを特徴としている。
【手続補正６】
【補正対象書類名】明細書
【補正対象項目名】００８８
【補正方法】変更
【補正の内容】
【００８８】
また、本発明に係るデータ構造（１）は、ボウリングゲームの参加人数それぞれに対応付けて、各参加人数に応じたゲームの進行に関するゲーム進行データが記憶されたゲーム進行データベースのデータ構造であって、前記ゲーム進行データは、ラウンド毎に設定された競技内容に関する競技内容データを含んで構成され、少なくとも１ラウンドでチーム戦（複数人の競技者で構成される２人組などのチーム戦）が実現されるように、前記競技内容データには、競技チーム数に関する競技チーム数データ、及びチーム編成に関するチーム編成データが存在することを特徴としている。
【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
デコーダ回路を備え、前記デコーダ回路は、データ復号アルゴリズムの一部として前記デコーダ回路の内部で少なくとも１つのデコーダ・メッセージを発生することによってデータ復号アルゴリズムを実行するように動作可能であり、さらに、
スカラ回路を備え、前記スカラ回路は、前記デコーダ・メッセージに可変スカラ値を掛けるように動作可能である、データ処理回路。
【請求項２】
前記可変スカラ値が第１のスカラ値と第２のスカラ値とを含み、前記デコーダ回路が第１の復号処理と第２の復号処理とを行うように動作可能であり、前記スカラ回路が、前記デコーダ・メッセージに第１の復号処理中に第１のスカラ値を掛け、第２の復号処理中に第２のスカラ値を掛ける、請求項１に記載のデータ処理回路。
【請求項３】
前記第１の復号処理が前記データ処理回路の第１のグローバル反復の一部として行われ、前記第２の復号処理が前記データ処理回路の第２のグローバル反復の一部として行われる、請求項２に記載のデータ処理回路。
【請求項４】
前記第１の復号処理が前記データ処理回路の第１のローカル反復の一部として行われ、前記第２の復号処理が前記データ処理回路の第２のローカル反復の一部として行われる、請求項２に記載のデータ処理回路。
【請求項５】
前記第１のスカラ値が前記第２のスカラ値より大きく、前記第１のスカラ値が、前記データ復号アルゴリズムの高速の収束を促進するように選択され、前記第２のスカラ値が、強化された情報を前記データ復号アルゴリズムに提供するように選択される、請求項２に記載のデータ処理回路。
【請求項６】
前記デコーダ回路が低密度パリティ検査デコーダである、請求項１に記載のデータ処理回路。
【請求項７】
前記低密度パリティ検査デコーダが少なくとも１つの可変ノードと少なくとも１つの検査ノードとを含み、前記デコーダ・メッセージが前記可変ノードから前記検査ノードへ渡される、請求項６に記載のデータ処理回路。
【請求項８】
前記低密度パリティ検査デコーダが少なくとも１つの可変ノードと少なくとも１つの検査ノードとを含み、前記デコーダ・メッセージが前記検査ノードから前記可変ノードへ渡される、請求項６に記載のデータ処理回路。
【請求項９】
前記データ処理回路が記憶装置の一部として実装される、請求項１に記載のデータ処理回路。
【請求項１０】
前記データ処理回路がデータ伝送装置の一部として実装される、請求項１に記載のデータ処理回路。
【請求項１１】
前記データ処理回路が集積回路の一部として実装される、請求項１に記載のデータ処理回路。
【請求項１２】
データ復号アルゴリズムの一部としてデータセットに対応する少なくとも１つのデコーダ・メッセージを発生することを含む、データ復号回路が前記データセットにデータ復号アルゴリズムを適用するステップと、
前記デコーダ・メッセージに可変スカラ値を掛けるステップとを備える、データ処理のための方法。
【請求項１３】
前記可変スカラ値が第１のスカラ値と第２のスカラ値とを含み、前記デコーダ・メッセージが第１のデコーダ・メッセージであり、前記第１のデコーダ・メッセージに前記可変スカラ値を掛けることが、前記第１のデコーダ・メッセージに前記第１のスカラ値を掛けることであり、前記方法がさらに、
前記データセットの派生物に対応する少なくとも第２のデコーダ・メッセージを処理することを含む、前記データセットの前記派生物に前記データ復号アルゴリズムを適用するステップと、
前記第２のデコーダ・メッセージに前記第２のスカラ値を掛けるステップとを備える、請求項１２に記載の方法。
【請求項１４】
少なくとも前記第１のデコーダ・メッセージを処理することを含む、前記データセットに前記データ復号アルゴリズムを適用するステップが、データ・デコーダ回路の第１のローカル反復の一部として行われ、少なくとも前記第２のデコーダ・メッセージを処理することを含む、前記データセットの前記派生物に前記データ復号アルゴリズムを適用するステップが、前記デコーダ回路の第２のローカル反復の一部として行われる、請求項１３に記載の方法。
【請求項１５】
少なくとも前記第１のデコーダ・メッセージを処理することを含む、前記データセットに前記データ復号アルゴリズムを適用するステップが、データ・デコーダ回路とデータ検出器回路とを含むデータ処理回路の第１のグローバル反復の一部として行われ、少なくとも前記第２のデコーダ・メッセージを処理することを含む、前記データセットの前記派生物に前記データ復号アルゴリズムを適用するステップが、前記データ処理回路の第２のグローバル反復の一部として行われる、請求項１３に記載の方法。
【請求項１６】
前記データ復号アルゴリズムが低密度パリティ検査復号アルゴリズムである、請求項１２に記載の方法。
【請求項１７】
データ復号アルゴリズムの一部として少なくとも１つのデコーダ・メッセージを発生することによってデータ復号アルゴリズムを実行するように動作可能なデータ・デコーダと、
前記デコーダ・メッセージに可変スカラ値を掛けるよう動作するスカラ回路とを備える、データ処理システム。
【請求項１８】
前記データ処理システムが集積回路の一部として実装される、請求項１７に記載のデータ処理システム。
【請求項１９】
前記データ処理システムが、記憶デバイス及び受信デバイスからなる群から選択されるデバイスの一部として実装される、請求項１７に記載のデータ処理システム。
【請求項２０】
前記可変スカラ値が第１のスカラ値と第２のスカラ値とを含み、前記デコーダ回路が、第１の復号処理と第２の復号処理とを行うように動作可能であり、前記スカラ回路が、前記デコーダ・メッセージに第１の復号処理中に第１のスカラ値を掛け、第２の復号処理中に第２のスカラ値を掛ける、請求項１７に記載のデータ処理システム。